(57)【要約】【課題】インクを吐出することによりチューブ状の被記録媒体の外面に記録する際、前記被記録媒体の内面にインクミストが混入することを抑制するとともに、前記被記録媒体の内面同士が貼り付くことを抑制する。【解決手段】記録中の雰囲気にチューブ状の被記録媒体Ｍの内面２１が触れない状態で、被記録媒体Ｍにインクを吐出して記録し、被記録媒体Ｍの内面２１同士が離間した状態で被記録媒体Ｍの外面に吐出された前記インクを加熱する。【選択図】図１
2015098000.tif 000002
【特許請求の範囲】
【請求項１】
インクを吐出することにより、チューブ状の被記録媒体の外面に記録する記録ヘッドと、
前記被記録媒体の外面に吐出された前記インクを加熱する加熱部と、
を備え、
前記記録ヘッドは、記録中の雰囲気に前記被記録媒体の内面が触れない状態でインクを吐出し、
前記加熱部は、前記被記録媒体の内面同士が離間した状態で加熱を行うことを特徴とする記録装置。
【請求項２】
請求項１に記載の記録装置において、
前記記録ヘッドによりインクが吐出された前記被記録媒体を前記加熱部に搬送する搬送部を備えることを特徴とする記録装置。
【請求項３】
請求項２に記載の記録装置において、
前記搬送部により前記被記録媒体の内面同士が密着した状態で前記被記録媒体を搬送しつつ、前記記録ヘッドにより前記被記録媒体の外面に記録することを特徴とする記録装置。
【請求項４】
請求項２又は３に記載の記録装置において、
前記搬送部は、前記加熱部による前記インクの加熱中に、前記被記録媒体の内側に空気を有した状態で前記被記録媒体を搬送することを特徴とする記録装置。
【請求項５】
請求項４に記載の記録装置において、
前記被記録媒体の搬送方向における前記記録ヘッドと前記加熱部との間において、前記記録ヘッドにより記録された側の前記被記録媒体の外面を外側にして該被記録媒体を屈曲し、
前記被記録媒体の搬送方向における前記加熱部と該被記録媒体の回収部との間において、前記被記録媒体の屈曲及びニップの少なくとも一方をすることを特徴とする記録装置。
【請求項６】
上記態様において、前記被記録媒体を冷却する冷却部を備え、前記搬送部は、前記冷却部による前記被記録媒体の冷却以後に、前記被記録媒体の内面同士が触れた状態で前記被記録媒体を搬送することを特徴とする記録装置。
【請求項７】
記録中の雰囲気にチューブ状の被記録媒体の内面が触れない状態で、インクを吐出して記録する記録工程と、
前記被記録媒体の内面同士が離間した状態で、前記インクを加熱する加熱工程と、
を有することを特徴とする記録方法。
【請求項８】
請求項７に記載の記録装置において、
前記被記録媒体の冷却工程と、を有し、
前記冷却工程以後に前記被記録媒体の内面同士を触れさせることを特徴とする記録方法。
【発明の詳細な説明】
【技術分野】
【０００１】
本発明は、記録装置及び記録方法に関する。
【背景技術】
【０００２】
従来から、例えば、袋等の内面と外面とを有する被記録媒体に記録する記録装置が使用されている。このうち、例えば特許文献１のように、インクをこのような内面と外面とを有する袋状の被記録媒体に吐出して記録する記録装置が使用されている。
【先行技術文献】
【特許文献】
【０００３】
【特許文献１】特開２０１１−１７８１０４号公報
【発明の概要】
【発明が解決しようとする課題】
【０００４】
一方、内面と外面とを有する被記録媒体としてのチューブ状の被記録媒体にインクを吐出して記録することが望まれている。特に、スループットを向上させるため、チューブ状の被記録媒体の外面に記録することが望まれている。  
しかしながら、インクを吐出することによりチューブ状の被記録媒体の外面に記録する際、前記被記録媒体の内面にインクミストが混入する場合があった。  
また、前記インクを加熱乾燥させる際、前記被記録媒体の内面同士が貼り付く場合があった。
【０００５】
そこで、本発明の目的は、インクを吐出することによりチューブ状の被記録媒体の外面に記録する際、前記被記録媒体の内面にインクミストが混入することを抑制するとともに、前記被記録媒体の内面同士が貼り付くことを抑制することである。
【課題を解決するための手段】
【０００６】
上記課題を解決するための本発明の記録装置は、インクを吐出することにより、チューブ状の被記録媒体の外面に記録する記録ヘッドと、前記被記録媒体の外面に吐出された前記インクを加熱する加熱部と、を備え、前記記録ヘッドは、記録中の雰囲気に前記被記録媒体の内面が触れない状態でインクを吐出し、前記加熱部は、前記被記録媒体の内面同士が離間した状態で加熱を行うことを特徴とする。
【０００７】
ここで、「前記被記録媒体の外面に記録する記録ヘッド」とは、チューブ状の被記録媒体の外面に記録可能な記録ヘッドという意味である。  
また、「記録中の雰囲気」とは、前記記録ヘッドからインクを吐出する際にインクミストが浮遊する領域の雰囲気を意味する。  
本態様によれば、前記被記録媒体は前記記録ヘッドによる記録中の雰囲気に内面が触れない状態で、インクを吐出することによりチューブ状の被記録媒体の外面に記録する際、チューブ状の前記被記録媒体の内部にインクミストが混入し、前記被記録媒体の内面にインクミストが付着することを抑制することができる。  
また、本態様によれば、前記被記録媒体は前記インクの加熱中に前記被記録媒体の内面同士が離間した状態であるため、前記インクの加熱に伴って前記被記録媒体の内面同士が貼り付くことを抑制することができる。
【０００８】
本発明の記録装置は、上記態様において、前記記録ヘッドによりインクが吐出された前記被記録媒体を前記加熱部に搬送する搬送部を備えることを特徴とする。
【０００９】
本態様によれば、連続して記録ヘッドによるインク吐出と加熱部による加熱を行うことができる。
【００１０】
本発明の記録装置は、上記態様において、前記搬送部により前記被記録媒体の内面同士が密着した状態で前記被記録媒体を搬送しつつ、前記記録ヘッドにより前記被記録媒体の外面に記録することを特徴とする。
【００１１】
本態様によれば、前記搬送部により前記被記録媒体の内面同士が密着した状態で前記被記録媒体を搬送しつつ、前記記録ヘッドにより前記被記録媒体の外面に記録する。すなわち、前記被記録媒体の内面同士が密着した状態で前記被記録媒体を搬送することにより、前記被記録媒体は前記記録ヘッドによる記録中の雰囲気に内面が触れない状態で搬送される。このため、前記被記録媒体の内面にインクミストが混入することを抑制しつつ、前記被記録媒体の内面同士を密着させて前記被記録媒体を平坦にすることができるので記録品質を向上することができる。
【００１２】
本発明の記録装置は、上記態様において、前記搬送部は、前記加熱部による前記インクの加熱中に、前記被記録媒体の内側に空気を有した状態で前記被記録媒体を搬送することを特徴とする。
【００１３】
本態様によれば、前記搬送部は、前記加熱部による前記インクの加熱中に、前記被記録媒体の内側に空気を有した状態で前記被記録媒体を搬送する。このため、前記被記録媒体の内側に空気を有させるという簡単な構成で、前記被記録媒体の内面同士が離間した状態を作ることができる。
【００１４】
本発明の記録装置は、上記態様において、前記被記録媒体の搬送方向における前記記録ヘッドと前記加熱部との間において、前記記録ヘッドにより記録された側の前記被記録媒体の外面を外側にして該被記録媒体を屈曲し、前記被記録媒体の搬送方向における前記加熱部と該被記録媒体の回収部との間において、前記被記録媒体の屈曲及びニップの少なくとも一方をすることを特徴とする。
【００１５】
本態様によれば、前記被記録媒体の搬送方向における前記記録ヘッドと前記加熱部との間、すなわち、前記加熱部よりも前記被記録媒体の搬送方向上流側において、前記記録ヘッドにより記録された側の前記被記録媒体の外面を外側にして該被記録媒体を屈曲する。このため、前記インクの乾燥前に前記被記録媒体における前記記録ヘッドにより記録された部分に接触することなく、前記加熱部よりも前記被記録媒体の搬送方向上流側において、前記空気が逃げることを抑制することができる。  
また、本態様によれば、前記被記録媒体の搬送方向における前記加熱部と該被記録媒体の回収部との間、すなわち、前記加熱部よりも前記搬送方向下流側において、前記被記録媒体を屈曲又はニップする。このため、前記加熱部よりも前記被記録媒体の搬送方向下流側において、前記空気が逃げることを抑制することができる。  
すなわち、本態様によれば、前記インクの乾燥前に前記被記録媒体における前記記録ヘッドにより記録された部分（前記記録ヘッドによる記録画像の形成領域）に接触することなく、前記被記録媒体の内側に空気を有した状態を作ることができる。  
なお、「回収部」とは、記録がなされた被記録媒体を回収するために該被記録媒体を巻き取り等する前記記録装置の構成部材を意味する。
【００１６】
本発明の記録装置は、上記態様において、前記被記録媒体を冷却する冷却部を備え、前記搬送部は、前記冷却部による前記被記録媒体の冷却以後に、前記被記録媒体の内面同士が触れた状態で前記被記録媒体を搬送することを特徴とする。
【００１７】
本態様によれば、加熱されて内面同士が溶着し易くなっている被記録媒体を冷却することで、内面同士を接触させて搬送させることが可能になる。そのため、搬送経路の自由度が増し、巻き取って回収する場合でも巻き取り易くなる。
【００１８】
本発明の記録方法は、記録中の雰囲気にチューブ状の被記録媒体の内面が触れない状態で、インクを吐出して記録する記録工程と、前記被記録媒体の内面同士が離間した状態で、前記インクを加熱する加熱工程と、を有することを特徴とする。
【００１９】
本態様によれば、前記被記録媒体は前記記録ヘッドによる記録中の雰囲気に内面が触れない。このため、インクを吐出することによりチューブ状の被記録媒体の外面に記録する際、チューブ状の被記録媒体の内部にインクミストが混入し、前記被記録媒体の内面にインクミストが付着することを抑制することができる。  
また、本態様によれば、前記被記録媒体は前記インクの加熱中に前記被記録媒体の内面同士が離間している。このため、前記インクの加熱に伴って前記被記録媒体の内面同士が貼り付くことを抑制することができる。
【００２０】
本発明の記録方法は、上記態様において、前記被記録媒体の冷却工程と、を有し、前記冷却工程以後に前記被記録媒体の内面同士を触れさせることを特徴とする。
【００２１】
本態様によれば、加熱されて内面同士が溶着し易くなっている被記録媒体を冷却することで、内面同士を接触させて搬送させることが可能になる。そのため、被記録媒体の内面同士を密着させて平坦にした状態で搬送することも可能となり、搬送し易くなる。
【図面の簡単な説明】
【００２２】
【図１】本発明の実施例１に係る記録装置を表す概略側面図。
【図２】本発明の実施例１に係る記録装置を表す概略正面図。
【図３】本発明の実施例１に係る記録装置を表す概略背面図。
【図４】本発明の実施例に係る記録装置で使用可能なチューブ状の被記録媒体を表す断面図。
【図５】本発明の実施例２に係る記録装置を表す概略側面図。
【発明を実施するための形態】
【００２３】
［実施例１］（図１〜図３）  
以下に、本発明の実施例１に係る記録装置について、添付図面を参照して詳細に説明する。  
図１は本実施例の記録装置１を表す概略側面図である。
【００２４】
本実施例の記録装置１では、チューブ状の被記録媒体Ｍは、チューブロール２から、駆動ローラー３、駆動ローラー４、駆動ローラー５、駆動ローラー６、駆動ローラー７と従動ローラー８とからなるローラー対９により、搬送方向Ａに搬送される。そして、回収部としての巻取部１０で巻き取られる。すなわち、駆動ローラー３、駆動ローラー４、駆動ローラー５、駆動ローラー６、駆動ローラー７と従動ローラー８とからなるローラー対９は、記録装置１の搬送部を形成している（以下、これらを搬送部ともいう）。なお、本実施例の記録装置１はこれら駆動ローラー３、駆動ローラー４、駆動ローラー５、駆動ローラー６を駆動ローラーとしたが、これらのうち少なくとも一部を従動ローラーとしてもよい。  
ここで、「チューブ状の被記録媒体」とは、外面と内面を有する筒状の形態を構成する被記録媒体を意味する。  
なお、「回収部」とは、記録がなされた被記録媒体を回収するために該被記録媒体を巻き取り等する記録装置の構成部材を意味する。
【００２５】
被記録媒体Ｍの搬送経路において、駆動ローラー３と駆動ローラー４との間には、被記録媒体Ｍを支持するプラテン１１が設けられている。また、該プラテン１１と対向する位置には、インクを吐出することにより被記録媒体Ｐの外面１２に記録する記録ヘッド１３を搭載して搬送方向Ａと交差する方向Ｂに往復移動するキャリッジ１４を有する記録部が設けられている。すなわち、本実施例の記録装置１は、方向Ｂに記録ヘッド１３を往復走査させて記録する。ただし、このような記録ヘッドを備える記録装置に限定されず、インクを吐出するノズルを搬送方向Ａと交差する方向Ｂに複数設けた所謂ラインヘッドを備える記録装置でもよい。  
ここで、「ラインヘッド」とは、被記録媒体Ｍの搬送方向Ａと交差する方向Ｂに形成されたノズルの領域が、方向Ｂ全体をカバー可能なように設けられ、記録ヘッド又は被記録媒体Ｍの一方を固定し他方を移動させて画像を形成する記録装置に用いられる記録ヘッドである。なお、ラインヘッドの方向Ｂのノズルの領域は、記録装置が対応している全ての被記録媒体Ｍの方向Ｂ全体をカバー可能でなくてもよい。また、記録ヘッドと被記録媒体Ｍの双方を移動可能な構成とし、記録ヘッドと被記録媒体Ｍの一方、又は、双方を移動させて画像を形成してもよい。  
また、「チューブ状の被記録媒体Ｍの外面１２に記録する記録ヘッド」とは、チューブ状の被記録媒体Ｍの外面１２に記録可能な記録ヘッドという意味である。
【００２６】
駆動ローラー５の対向する位置には、従動ローラー１５及び従動ローラー１６が設けられている。  
なお、従動ローラー１５及び従動ローラー１６は、搬送方向Ａと交差する方向Ｂに亘って延設されているのではなく、被記録媒体Ｍにおける方向Ｂの両端部に設けられている。  
詳細には、図１の方向Ｘから見た本実施例の記録装置１の概略正面図である図２で表されるように、駆動ローラー５と、従動ローラー１５及び従動ローラー１６とで、被記録媒体Ｍの方向Ｂの端部を挟むことができる位置に、従動ローラー１５及び従動ローラー１６は設けられている。
【００２７】
このように、従動ローラー１５及び従動ローラー１６が、記録画像を形成される可能性が少ない被記録媒体Ｍにおける方向Ｂの両端部に設けられていることにより、被記録媒体Ｍにおいて記録ヘッド１３により形成される記録画像に従動ローラー１５及び従動ローラー１６が接触することを抑制している。  
ここで、記録ヘッド１３による記録画像の形成領域とは、記録ヘッド１３によりインクが吐出され得る領域である。
【００２８】
被記録媒体Ｍの搬送経路において、駆動ローラー５と駆動ローラー６との間には、記録ヘッド１３により記録された被記録媒体Ｍの外面１２に吐出されたインクを加熱する加熱部としての赤外線ヒーター１７を備えた加熱槽１８が設けられている。  
加熱槽１８に位置するチューブ状の被記録媒体Ｍの内部には、空気が入れられている。この被記録媒体Ｍの内部の空気は、被記録媒体Ｍを記録装置１にセットする際に入れられたものである。図１で表されるように、駆動ローラー５及び駆動ローラー６に被記録媒体Ｍを沿わせて屈曲させることにより加熱槽１８における該被記録媒体Ｍは密封された状態となっているため、該被記録媒体Ｍを搬送する際においても、該内部の空気はこの位置に留まり続ける。  
なお、本実施例における赤外線ヒーター１７によって、被記録媒体Ｍの表面温度は約９０℃になるように設定されているが、この設定温度は適宜設定することができる。
【００２９】
また、駆動ローラー６の対向する位置には、従動ローラー１９及び従動ローラー２０が設けられている。  
なお、従動ローラー１９及び従動ローラー２０は、従動ローラー１５及び従動ローラー１６と同様、搬送方向Ａと交差する方向Ｂに亘って延設されているのではなく、被記録媒体Ｍにおける方向Ｂの両端部に設けられている。  
詳細には、図１の方向Ｙから見た本実施例の記録装置１の概略背面図である図３で表されるように、駆動ローラー６と、従動ローラー１９及び従動ローラー２０とで、被記録媒体Ｍの方向Ｂの端部を挟むことができる位置に、従動ローラー１９及び従動ローラー２０は設けられている。
【００３０】
また、駆動ローラー６は、冷却ローラーとして冷却部の役割も兼ねており、赤外線ヒーター１７によりインクを加熱し温度が上昇した被記録媒体Ｍを冷却している。
【００３１】
上記の説明について、別の表現をすると、本実施例の記録装置１は、チューブ状の被記録媒体Ｍを搬送する搬送部を備えている。また、インクを吐出することにより、被記録媒体Ｍの外面１２に記録する記録ヘッド１３を備えている。また、記録ヘッド１３により記録された被記録媒体Ｍの外面１２に吐出されたインクを加熱する赤外線ヒーター１７を備えている。また、赤外線ヒーター１７によりインクを加熱し温度が上昇した被記録媒体Ｍを冷却する駆動ローラー６を備えている。
【００３２】
そして、前記搬送部は、記録ヘッド１３による記録中の雰囲気に被記録媒体Ｍの内面２１が触れない状態で、被記録媒体Ｍを搬送する。また、赤外線ヒーター１７によるインクの加熱中に、被記録媒体Ｍの内面２１同士が離間した状態で被記録媒体Ｍを搬送する。そして、駆動ローラー６による被記録媒体Ｍの冷却以後に、被記録媒体Ｍの内面２１同士が触れた状態で被記録媒体Ｍを搬送する。  
ここで、「記録中の雰囲気」とは、記録ヘッド１３からインクを吐出する際などに発生するインクミストが浮遊する可能性のある領域の雰囲気を意味し、本実施例では、搬送方向Ａにおいて駆動ローラー３と駆動ローラー４との間の領域の雰囲気などが該当する。また記録ヘッド１３近傍ではなくても、記録装置の構造や気流等の影響によりインクミストが浮遊し易い箇所の雰囲気も含めて考えることができる。
【００３３】
本実施例の記録装置１は、このような構成により、インクを吐出することによりチューブ状の被記録媒体Ｍの外面１２に記録する際、被記録媒体Ｍの内面２１が、記録中の雰囲気に接触しないようにすることで、チューブ状の被記録媒体Ｍの内部にインクミストが混入し、被記録媒体Ｍの内面２１にインクミストが付着することを抑制することができる。また、インクの加熱に伴って被記録媒体Ｍの温度が上昇し、被記録媒体Ｍの内面２１同士が融着し貼り付くことを抑制することができる。
【００３４】
なお、本実施例の記録装置１は、「駆動ローラー６による被記録媒体Ｍの冷却以後」として、駆動ローラー６による被記録媒体Ｍの冷却時も含む構成である。  
このため、冷却ローラーとしての駆動ローラー６の冷却能力が低いと、インクの加熱に伴って被記録媒体Ｍの内面２１同士が貼り付くことも考えられる。  
しかしながら、本実施例の記録装置１は、上記のように、従動ローラー１９及び従動ローラー２０を被記録媒体Ｍにおける方向Ｂの両端部に設けており、被記録媒体Ｍにおける方向Ｂの中央部付近で被記録媒体Ｍの内面２１同士が強く押し付けられない構成になっている。このため、被記録媒体Ｍの内面２１同士が貼り付くことを効果的に抑制している。
【００３５】
また、本実施例の記録装置１は、前記搬送部により被記録媒体Ｍの内面同士が密着した状態で前記被記録媒体を搬送しつつ、記録ヘッド１３により被記録媒体Ｍの外面１２に記録する。すなわち、被記録媒体Ｍの内面２１同士が密着した状態で被記録媒体Ｍを搬送することにより、被記録媒体Ｍは記録ヘッド１３による記録中の雰囲気に内面２１が触れない状態で搬送される。  
このため、被記録媒体Ｍの内面２１にインクミストが混入することを抑制しつつ、被記録媒体Ｍの内面２１同士を密着させて被記録媒体Ｍを平坦にすることができるので、記録ヘッド１３と被記録媒体Ｍの間隔を一定に保ち易く、記録品質を向上することができる。
【００３６】
また、本実施例の記録装置１の前記搬送部は、赤外線ヒーター１７によるインクの加熱中に、被記録媒体Ｍの内側２１に空気を有した状態で被記録媒体Ｍを搬送する。  
このため、被記録媒体Ｍの内側２１に空気を有させるという簡単な構成で、被記録媒体Ｍの内面２１同士が離間した状態を作っている。
【００３７】
また、本実施例の記録装置１は、搬送方向Ａにおける記録ヘッド１３と赤外線ヒーター１７との間において、記録ヘッド１３により記録された側の被記録媒体Ｍの外面１２を外側にして該被記録媒体Ｍを屈曲し、搬送方向Ａにおける赤外線ヒーター１７と巻取部１０との間において、被記録媒体Ｍの屈曲及びニップの少なくとも一方をしている。
【００３８】
すなわち、赤外線ヒーター１７よりも搬送方向Ａの上流側において、記録ヘッド１３により記録された側の被記録媒体Ｍの外面１２を外側にして該被記録媒体Ｍを屈曲している。このため、インクの乾燥前に被記録媒体Ｍにおける記録ヘッド１３により記録された部分（記録ヘッド１３による記録画像の形成領域）に接触することなく、赤外線ヒーター１７よりも搬送方向Ａの上流側において、被記録媒体Ｍの内側２１の空気が逃げることを抑制している。なお、本実施例の記録装置１では、被記録媒体Ｍを駆動ローラー５において屈曲させたうえで、被記録媒体Ｍの方向Ｂにおける両端部（記録ヘッド１３により記録された部分に接触することのない位置）で従動ローラー１５及び１６と駆動ローラー５とでニップしているがこのような構成に限定されない。被記録媒体Ｍを屈曲するだけで被記録媒体Ｍの内側２１の空気が逃げることを十分に抑制できる場合、従動ローラー１５及び１６は不要である。
【００３９】
また、搬送方向Ａにおける赤外線ヒーター１７と巻取部１０との間、すなわち、赤外線ヒーター１７よりも搬送方向Ａの下流側において、被記録媒体Ｍの屈曲及びニップの少なくとも一方をしている。このため、赤外線ヒーター１７よりも搬送方向Ａの下流側において、前記空気が逃げることを抑制している。なお、本実施例の記録装置１では、被記録媒体Ｍを駆動ローラー６において屈曲させたうえで、被記録媒体Ｍの方向Ｂにおける両端部で従動ローラー１９及び２０と駆動ローラー６とでニップしているがこのような構成に限定されない。  
なお、本実施例の記録装置１は、被記録媒体Ｍの方向Ｂにおける両端部で従動ローラー１９及び２０と駆動ローラー６とでニップしている。しかしながら、赤外線ヒーター１７よりも搬送方向Ａの下流側では被記録媒体Ｍに吐出されたインクは乾燥している。このため、前記両端部のみではなく、被記録媒体Ｍの方向Ｂに亘ってニップする構成であってもよい。
【００４０】
上記の説明のように、本実施例の記録装置１は、インクの乾燥前に被記録媒体Ｍにおける記録ヘッド１３により記録された部分（記録ヘッド１３による記録画像の形成領域）に接触することなく、被記録媒体Ｍの内側２１に空気を有した状態を作っている。
【００４１】
なお、本実施例の記録装置１は、図１〜図３で表されるように、赤外線ヒーター１７よりも搬送方向Ａの上流側及び下流側の両方において、被記録媒体Ｍを屈曲したうえで、被記録媒体Ｍの方向Ｂにおける両端部でニップしている。ただし、赤外線ヒーター１７よりも搬送方向Ａの上流側において被記録媒体Ｍを屈曲し、赤外線ヒーター１７よりも搬送方向Ａの下流側において被記録媒体Ｍの屈曲及びニップの少なくとも一方をしていれば、記録ヘッドによる記録画像の形成領域に接触することなく、被記録媒体Ｍの内側２１の空気が逃げることを抑制できる。
【００４２】
上記の説明を、本実施例の記録装置１を用いた記録方法としてまとめると、本実施例の記録方法は、記録中の雰囲気にチューブ状の被記録媒体Ｍの内面２１が触れない状態で、被記録媒体Ｍを搬送しつつインクを吐出して記録する記録工程と、被記録媒体Ｍの内面２１同士が離間した状態で被記録媒体Ｍを搬送しつつ前記インクを加熱する加熱工程と、被記録媒体Ｍの冷却工程と、を有し、前記冷却工程以後に被記録媒体Ｍの内面２１同士を触れさせる。  
本実施例の記録方法によれば、被記録媒体Ｍは記録ヘッド１３による記録中の雰囲気に内面２１が触れない状態で搬送される。このため、インクを吐出することによりチューブ状の被記録媒体Ｍの外面１２に記録する際、被記録媒体Ｍの内面２１にインクミストが混入することを抑制することができる。  
また、本実施例の記録方法によれば、被記録媒体Ｍは前記インクの加熱中に被記録媒体Ｍの内面２１同士が離間した状態で搬送されるとともに、被記録媒体Ｍの冷却以後に被記録媒体Ｍの内面２１同士が触れる。このため、前記インクの加熱に伴って被記録媒体Ｍの内面２１同士が貼り付くことを抑制することができる。
【００４３】
次に、本実施例の記録装置１で使用可能なチューブ状の被記録媒体Ｍについて説明する。  
図４は、本実施例の記録装置１で使用可能な被記録媒体Ｍを表す断面図である。
【００４４】
図４で表されるように、本実施例の記録装置１で使用可能な被記録媒体Ｍは、外面１２を構成する外層部２３と、内面２１を構成しシーラントとしての役割をする内層部２２とからなるチューブ状の材料である。  
そして、外層部２３はナイロンで構成されており、内層部２２はポリエチレンで構成されている。  
ここで、「シーラント」とは、被記録媒体Ｍを加工する際に使用される圧着装置で圧着可能な材料を意味し、特にその材料に限定はない。本実施例では、シーラントは、所定の温度を付与すると溶着する熱可塑性溶着層を指している。
【００４５】
本実施例においては、上記のようなチューブ状の被記録媒体Ｍを用いているが、このようなチューブ状の材料Ｍに限定されず、他のシーラントを有するものや、シーラントを有さないものを用いてもよい。
【００４６】
なお、本実施例の記録装置１は、内面と外面とを有するチューブ状の被記録媒体Ｍを使用する記録装置である。一方、内面と外面とを有する被記録媒体であれば、チューブ状の被記録媒体以外であっても、本発明を適用可能である。例えば、内面と外面とを有する被記録媒体としてソフトボトルを用い、該ソフトボトルの外面に記録することが可能な記録装置に、本発明を適用可能である。  
具体的には、ソフトボトル等の内面と外面とを有する被記録媒体を搬送する搬送部と、インクを吐出することにより、前記被記録媒体の外面に記録する記録ヘッドと、前記記録ヘッドにより記録された前記被記録媒体の外面に吐出された前記インクを加熱する加熱部と、前記加熱部により前記インクを加熱し温度が上昇した前記被記録媒体を冷却する冷却部と、を備え、前記搬送部は、前記記録ヘッドによる記録中の雰囲気に前記被記録媒体の内面が触れない状態で、前記被記録媒体を搬送し、前記加熱部による前記インクの加熱中に、前記被記録媒体の内面同士が離間した状態で前記被記録媒体を搬送し、前記冷却部による前記被記録媒体の冷却以後に、前記被記録媒体の内面同士が触れた状態で前記被記録媒体を搬送する記録装置であればよい。
【００４７】
［実施例２］（図５）  
次に、実施例２の記録装置について、添付図面を参照して詳細に説明する。  
図５は、本実施例の記録装置１を表す概略側面図である。なお、上記実施例と共通する構成部材は同じ符号で示しており、詳細な説明は省略する。  
なお、本実施例の記録装置１は、搬送方向Ａにおける加熱槽１８の下流側（加熱槽１８と駆動ローラー６との間）に、冷却層２５を備えている以外は実施例１の記録装置１と同様の構成である。
【００４８】
本実施例の記録装置１は、搬送方向Ａにおける加熱槽１８の下流側に、６０℃の温風を被記録媒体Ｍに向かって方向Ｃに送風可能な冷却部としてのファン２４を備えた冷却層２５を備えている。このため、冷却層２５において十分被記録媒体Ｍを冷却させた後に、前記搬送部は、被記録媒体Ｍの内面２１同士が触れた状態で被記録媒体Ｍを搬送することができる。すなわち、被記録媒体Ｍの内面２１同士が貼り付くことを効果的に抑制している。
【符号の説明】
【００４９】
１  記録装置、２  チューブロール、３  駆動ローラー（搬送部）、
４  駆動ローラー（搬送部）、５  駆動ローラー（搬送部）、
６  駆動ローラー（搬送部、冷却部）、７  駆動ローラー、８  従動ローラー、
９  ローラー対（搬送部）、１０  巻取部（回収部）、１１  プラテン、
１２  チューブ状の被記録媒体Ｍの外面、１３  記録ヘッド、１４  キャリッジ、
１５  従動ローラー、１６  従動ローラー、１７  赤外線ヒーター、１８  加熱槽、
１９  従動ローラー、２０  従動ローラー、２１  チューブ状の被記録媒体Ｍの内面、
２２  内層部、２３  外層部、２４  ファン、２５  冷却層、
Ｍ  チューブ状の被記録媒体
【図１】
2015098000.tif 000003
【図２】
2015098000.tif 000004
【図３】
2015098000.tif 000005
【図４】
2015098000.tif 000006
【図５】
2015098000.tif 000007